(57)【要約】【課題】  タッチパネル装置において、ユーザに依存する押下力の違いにより、タッチパネルの応答に差が生じる場合がありユーザによって使い勝手の悪いものになっていた。【解決手段】  タッチパネルの押下を認識したとき、誤操作を防止するために押下時間を計測することによって、ある一定の押下時間を超えた場合には押下されたと認識しているが、ユーザの押下の仕方によってはこの押下時間が短くなる場合があり、このときは本体が押下されたと認識しない場合がある。このような場合にはユーザはタッチパネルの押下を再度やり直すことになるが、その再度の押下の際にも押下時間が一定時間を満たさない場合には、押下と認識する時間の閾値を変更し、このユーザに対しては短い認識時間でも押下を判定することにより使い勝手を良くする。また、ユーザによる押下を認識する時間の閾値の設定を可能とし、そのユーザの好み等に対応する。【選択図】  図１
2007109082.tif 000002
【特許請求の範囲】
【請求項１】
ユーザがキー入力を行うための複数のキーアイコンを表示するLCD表示部と、
前記LCD表示部に重ねられて、ユーザがそれに接触することにより前記LCD表示部に表示されたキーアイコンの押下を検出するタッチパネルと、
前記タッチパネルに対するユーザの接触時間を計時する計時手段と、
前記計時手段により計時されたユーザの接触時間と検出閾値とを比較する手段と、
前記検出閾値を変更する閾値変更手段と
を備えたことを特徴とするタッチパネル入力装置。
【請求項２】
前記閾値変更手段は、前記計時手段により計時されたユーザの接触時間が所定回数連続して前記検出閾値以下だった場合に、前記閾値変更手段により検出閾値を変更することを特徴とする請求項１記載のタッチパネル入力装置。
【請求項３】
ユーザがキー入力を行うための複数のキーアイコンを表示するLCD表示部と、
前記LCD表示部に重ねられて、ユーザがそれに接触することにより前記LCD表示部に表示されたキーアイコンの押下を検出するタッチパネルと、
前記タッチパネルに対するユーザの接触の圧力を計測する計測手段と、
前記計測手段により計測されたユーザの接触の圧力と検出閾値とを比較する手段と、
前記検出閾値を変更する閾値変更手段と
を備えたことを特徴とするタッチパネル入力装置。
【請求項４】
前記閾値変更手段は、前記計測手段により計測されたユーザの接触の圧力が所定回数連続して前記検出閾値以下だった場合に、前記閾値変更手段により検出閾値を変更することを特徴とする請求項３記載のタッチパネル入力装置。
【請求項５】
タッチパネルに一定時間入力が行われなかった場合には、前記閾値変更手段により変更された検出閾値を変更前の状態に戻すことを特徴とする請求項2乃至４に記載のタッチパネル入力装置。
【請求項６】
ユーザがキー入力を行うための複数のキーアイコンを表示するLCD表示部と、
前記LCD表示部に重ねられて、ユーザがそれに接触することにより前記LCD表示部に表示されたキーアイコンの押下を検出するタッチパネルと、
前記タッチパネルに対するユーザの接触時間を計時する計時手段と、
前記計時手段により計時されたユーザの接触時間と検出閾値とを比較する手段と、
前記検出閾値のユーザによる変更を可能とする閾値変更手段と
を備えたことを特徴とするタッチパネル入力装置。
【請求項７】
前記閾値変更手段により、規定値よりもより短い時間でタッチパネルが接触されたと判断するように閾値が変更された場合には、ユーザに対して通知を行なう通知手段をさらに備えたことを特徴とする請求項６に記載のタッチパネル入力装置。
【請求項８】
ユーザがキー入力を行うための複数のキーアイコンを表示するLCD表示部と、
前記LCD表示部に重ねられて、ユーザがそれに接触することにより前記LCD表示部に表示されたキーアイコンの押下を検出するタッチパネルと、
前記タッチパネルに対するユーザの接触の圧力を計測する計測手段と、
前記計時手段により計測されたユーザの接触圧力と検出閾値とを比較する手段と、
前記検出閾値のユーザによる変更を可能とする閾値変更手段と
を備えたことを特徴とするタッチパネル入力装置。
【請求項９】
前記閾値変更手段により、規定値よりもより低い圧力でタッチパネルが接触されたと判断するように閾値が変更された場合には、ユーザに対して通知を行なう通知手段をさらに備えたことを特徴とする請求項８に記載のタッチパネル入力装置。
【発明の詳細な説明】
【技術分野】
【０００１】
本発明はLCD上に重ねるように配置され、それに対するユーザの接触の検出と判定された際には、それと対応する位置にLCD表示しているキーアイコンを押下されたと判断し、そのキー設定に従った動作を行なうタッチパネルに関するものである。
【背景技術】
【０００２】
近年、ファクシミリや複写機などの操作部としてLCDに重ねるように配置され、LCD上に表示されたキーアイコン上の部分のユーザによる押下を検出することにより、キー押下を認識するいわゆるタッチパネルあるいはタッチスクリーンと呼ばれるものが提案されている。
【０００３】
従来技術としては、LCDに表示されるキーの役割などによって、ユーザが該当するタッチパネルの範囲を押下したか否かを判別する閾値をキー毎に変更する制御方法なども提案されている。（例えば特許文献１参照）
【特許文献１】特開平０６−０４４２５４号公報
【発明の開示】
【発明が解決しようとする課題】
【０００４】
しかしながら、上記従来例では例えば誤操作されることが特に好ましくないキーなどの検出を厳しくすることにより、ユーザに対して安定した操作を提供するものであるが、ユーザに依存する、特に押下する際のユーザの癖、操作力などにより、キー押下が認識されなかったために、ユーザに対して応答を返さないために機械の故障の懸念やユーザに対するストレスを与えることについては考慮されていなかった。
【課題を解決するための手段】
【０００５】
前記課題を解決するために請求項１、請求項２では、ユーザがキー入力を行うための複数のキーアイコンを表示するLCD表示部と、前記LCD表示部に重ねられて、ユーザがそれに接触することにより前記LCD表示部に表示されたキーアイコンの押下を検出するタッチパネルと、前記タッチパネルに対するユーザの接触時間を計時する計時手段と、前記計時手段により計時されたユーザの接触時間と検出閾値とを比較する手段と、前記検出閾値を変更する閾値変更手段とを備え、前記閾値変更手段は、前記計時手段により計時されたユーザの接触時間が所定回数連続して前記検出閾値以下だった場合に、前記閾値変更手段により検出閾値を変更する。また請求項３、請求項４では、前記タッチパネルに対するユーザの接触の圧力を計測する計測手段と、前記計測手段により計測されたユーザの接触の圧力と検出閾値とを比較する手段と、前記検出閾値を変更する閾値変更手段とを備え、前記閾値変更手段は、前記計測手段により計測されたユーザの接触の圧力が所定回数連続して前記検出閾値以下だった場合に、前記閾値変更手段により検出閾値を変更する。また、請求項６、請求項８では、さらにユーザによる前記検出閾値を変更する手段を備え、ユーザにより、反応時間や圧力の設定を可能とした。
【発明の効果】
【０００６】
本発明により、ユーザに依存する、特に押下する際のユーザの癖、操作力などにより、キー押下の検出結果に差がある場合であっても、ユーザの癖、操作力を想定し、検出手段に変更を加え、またはユーザによる閾値の変更を可能することによりユーザのタッチパネルの押下に対して確実に応答を返すことにより機械の故障の懸念やユーザに対するストレスを与えることを回避することができるタッチパネルを提供することが可能となる。
【発明を実施するための最良の形態】
【０００７】
以下、図面を参照して本発明の実施の形態について詳細に説明する。
【０００８】
図３は、本発明の第１の実施例であるタッチパネル入力装置を用いたファクシミリ装置１００の構成を示すブロック図である。
【０００９】
図３において、ファクシミリ装置１００は、制御部１０１と、ＲＯＭ１０２と、ＤＲＡＭ１０３と、ＳＲＡＭ１０４と、画像読み取り部１０５と、ファクシミリ送受信部１０７と、記録部１０８と、操作部１１０と、電源供給部１１１とを有する。
【００１０】
制御部１０１は、ファクシミリ装置全体を制御し、システムバス１１２を介してファクシミリ装置を制御するマイクロプロセッサユニット（ＭＰＵ）であり、システムバス１１２内には、データバス、アドレスバスと接続される。また制御部１０１と記録部１０８間はプリンタを制御するシリアルインターフェイス（ＵＡＲＴ）１１３であるプリンタ制御信号線、プリンタ応答信号線で接続されている。
【００１１】
ＲＯＭ１０２は、ＭＰＵが動作するためのインストラクション群等のプログラムコード、オペレーティングシステム（ＯＳ）プログラムコード、初期値データ、テーブルデータ等を格納しているメモリである。
【００１２】
ＤＲＡＭ１０３は、画像バッファ、画像メモリ、各種動作のワークエリア等に使用され、ファクシミリ送受信部１０５との間で送受信する際の画像データを一時的に保持するバッファであり、また、ファクシミリ送受信部１０５を介して受信された画像データや、画像読み取り部１０２で読み取られた画像データを、ファイルとして蓄積するためのメモリである。なお、ＤＲＡＭ１０３の保持しているデータは、バッテリバックアップによって停電等の不慮の障害等から保護されている。
【００１３】
ＳＲＡＭ１０４はユーザー登録エリアや、ワークエリア、画像ファイルの管理情報等の格納に使用さる。このＳＲＡＭ１０４もバッテリーバックアップによって、不慮の障害から保護されている。
【００１４】
画像読み取り部１０５は、密着型イメージセンサ、読み取り画像補正部、読み取り画像処理部、読み取り駆動部、原稿が原稿台に置かれているかどうかを検出するドキュメントセンサ（ＤＳ）、ドキュメントエッジセンサ（ＤＥＳ）により構成されるものである。この画像読み取り部１０５においては、まず、読み取り駆動部を駆動して原稿を搬送し、密着型イメージセンサにより光学的に読み取って電気的な画像信号に変換する。この密着型イメージセンサにはＲ（レッド）、Ｇ（グリーン）、Ｂ（ブルー）の３色のＬＥＤが内蔵されており、この３色のＬＥＤを１ライン読み取り中に順次点灯することにより、そのラインのＲ、Ｇ、Ｂそれぞれのデータを読み取ることができるカラースキャナである。また、モノクロ読み取りモードで原稿を読み取る場合には、３色のＬＥＤを同時に点灯することにより、モノクロ読み取りが可能となる。この信号を読み取り画像補正部にてシェーディング補正等を施し、さらに読み取り画像処理部によって２値化処理および中間調処理等の画像処理を施して高精細な画像データを出力する。このときＤＲＡＭ１０３は画像処理を行う際の画像バッファとして用いられる。
【００１５】
記録部１０８は記録制御部、画像メモリ等によって構成されている。
【００１６】
記録部１０８は、記録制御用ＭＰＵ、各種インストラクションを記述したＲＯＭ、ＲＯＭからインストラクションを読み出す手段、読み出したインストラクションを処理する処理手段、制御部１０１から送信された画像データを格納したり、処理手段が必要とする情報を記憶しておくための入力が可能なＲＡＭ、記録画像処理部１０６から送られてくる画像データの受信を行うデータバスや、制御部１０１からのパワーオン指示、パワーオフ指示、回復動作指示、記録紙排出指示等の制御コマンドを受信したり、エラー情報、オンライン／オフライン状態などのステータス情報を制御部１０１に送信するシリアルインターフェイス（ＵＡＲＴ）の制御を行うインターフェイス制御部を備える。記録部１０８にはカートリッジ式の白黒記録専用のモノクロ記録ヘッドか、或いは、カートリッジ式のカラー記録ヘッドの何れかを搭載している。このモノクロ記録ヘッドとカラー記録ヘッドとは交換可能な構成となっている。また、どちらの記録ヘッドもインクタンクを内蔵した一体型のインクカートリッジであり、記録解像度３６０ｄｐｉ（ｄｏｔｓ  ｐｅｒ  ｉｎｃｈ）でインクの吐出を行う。この記録ヘッドはキャリッジに保持されながら、記録紙の搬送方向(副走査方向)とは直交する方向（主走査方向）に往復運動する。キャリッジの往復運動は、モータによって駆動されるプーリおよびタイミングベルトによって行われ、この時に記録ヘッドに与えられる記録信号や電力は、キャリッジと電気基板を接続しているフレキシブルケーブルによって電気回路より供給されている。記録ヘッドとフレキシブルケーブルとは互いの接点を圧接して接続しており、記録ヘッドの特定の接点間の開放／接続を検出することでモノクロ記録専用のカートリッジが装着されているか或いはカラー記録用のカートリッジが装着されているかを認識可能な構成となっている。
【００１７】
記録画像処理部１０６は、受信した画像データを記録部１０８で出力する場合に、受信した画像データをプリンタの主走査解像度３６０ｄｐｉ（ｄｏｔｓ  ｐｅｒ  ｉｎｃｈ）の生画像データに変換するための解像度変換、スムージング、濃度補正等の各種画像処理を施し、高精細画像データに変換し、その画像データを記録部１０８に送信する。なお、記録部１０８は、インクジェットプリンタであるが、サーマルプリンタ、ＬＥＤプリンタ等であってもよい。
【００１８】
ファクシミリ送受信部１０５は、ＮＣＵ（網制御装置）等の通信接続部、モデム（変復調装置）等の通信制御部によって構成されるものであり、ＰＳＴＮ回線の通信網に接続され、Ｇ３のプロトコルによって通信制御、通信回線に対する発呼、着呼等の回線制御を行うものである。
【００１９】
電源供給部１１１は、本ファクシミリ装置１００の各部に電源を供給する電源である。
【００２０】
ＬＣＤ１１４は、ファクシミリの動作状況やエラー発生時などはそのときの本体の状態を表示し、また、後述のタッチパネル１１５を利用することにより操作キーを実現するためにキーのアイコンの表示などを行なう。制御部１０１からＬＣＤ１１４に対する表示の制御はＬＣＤ制御部１１０を介して行なう。
【００２１】
タッチパネル１１５はＬＣＤ１１４の上部にＬＣＤ１１４に重なるような形で設けられている半透明のシート状のものを使用している。ＬＣＤ１１５上に表示されたキーアイコン上部のタッチパネル１１５の該当する位置をユーザが押下することにより、後述する原理により押下された位置がＬＣＤ１１４のどの位置に相当するかを判別し、その押下位置にＬＣＤ１１４が表示しているキーアイコンが押下されたとして動作するものである。
【００２２】
後述するようにタッチパネル１１５の制御のために、タッチパネル１１５に印加する電圧を制御する電圧印加制御部１１７と、ユーザがタッチパネル１１５に触れたときに発生する印加電圧に対する出力電圧の変化をＡ/Ｄ変換し、制御部１０１にデジタルデータとして入力するＡ/Ｄ変換部１１６を備える。
【００２３】
ファクシミリ送受信部１０７はＮＣＵ（網制御装置）等の通信接続部と、モデム（変復調装置）等の通信制御部により構成される。これらによりＰＳＴＮ回線に接続してＧ３のプロトコルにより通信制御を行うほか、通信回線に対する発呼、着呼などの回線制御を行うものである。さらにファクシミリ送受信部には電話機を接続し、通話やＤＴＭＦリモート制御などを行うことも可能である。
【００２４】
次に上記構成のファクシミリ装置１００の各種動作について説明する。
【００２５】
・画像読み取り時の動作
本ファクシミリ装置１００の画像読み取り時の動作は以下の通りである。
【００２６】
密着型イメージセンサによって得られた信号は読み取り画像補正部により、シェーディング補正などの処理が施され、さらに２値化および画像変換処理が行われ、画像符号復号部１０９の画像復号部に入力される。入力された画像データは、ＤＲＡＭ１０３に展開され、画像符号部によって圧縮符号化されたあと、ＤＲＡＭ１０３に蓄積される。また同時にその画像データの受付番号、宛先情報、ページ数、格納画像メモリブロック情報等の管理情報をＳＲＡＭ１０４に格納する。
【００２７】
・画像記録動作
次に画像記録動作について説明する。ＤＲＡＭ１０３に蓄積された画像符号化データは、画像符号復号化部１０９の画像複合化部によって伸長復号され、記録画像処理部１０６によって補正および画像変換処理を行ったあと、記録部１０８に送信される。
【００２８】
・ファクシミリ送信動作
次にファクシミリ送信動作について説明する。発呼して回線が補足されると、まずＧ３のプロトコルに従い、ファクシミリ通信の手順信号の送受信を行う。そしてＤＲＡＭ１０３に蓄積された画像符号化データは、送信バッファに転送される。送信バッファに転送された送信データは、ファクシミリ送受信部１０７の通信制御部からの入力割り込み信号に応じて制御部１０１の制御のもと、通信制御部に１バイトづつ転送され変調される。そして通信接続部を介してＰＳＴＮ回線に送出される。
【００２９】
・ファクシミリ受信動作
次にファクシミリ受信動作について説明する。
【００３０】
ファクシミリ送受信部１０７の通信接続部により着信が確認されると、受信データは通信接続部を通して通信制御部に入力される。そして、まずＧ３のプロトコルに従いファクシミリ手順信号の送受信を行い、その後画像データの受信を開始する。画像データは、通信制御部で復調され、通信制御部からの入力割り込み信号に応じて制御部１０１の制御のもと、受信バッファに転送される。受信バッファに転送された画像データは画像符号復号化部１０９の画像復号部によって伸長復号して画像誤りを検査し、ＤＲＡＭ１０３に画像データとして展開される。展開された画像データは、画像符号復号化部の画像符号部により圧縮符号化されてＤＲＡＭ１０３に蓄積されるとともに、ＳＲＡＭ１０４に管理情報を格納する。
【００３１】
次に図２を用いてタッチパネル１１５の動作について説明する。
【００３２】
タッチパネル１１５の制御には図３を用いて説明したように電圧印加部１１７、Ａ/Ｄ変換部１１６、制御部１０１により制御される。タッチパネル１１５は、ＬＣＤ１１４に重ねられており、ＬＣＤ１１４の表示エリアとほぼ等しい面積を有している。タッチパネル１１５は図２のように上部と下部の2枚の抵抗膜から構成され、電圧印加部１１７からそれぞれの抵抗膜に電圧を印加するようになっている。ここで、図にある押下点をユーザが押下した場合、まず上部の抵抗膜と下部の抵抗膜がこの押下点で接触する。このとき電圧印加部１１７により印加された電圧Ｅはこの押下点での上部と下部の接触により、ａの長さとｂの長さに抵抗分割されることになる。このａとｂの比率で分圧された電圧が下部の抵抗膜１１５−２を通じてＶｘ方向に出力される。この電圧はＡ/Ｄ変換部１１６に入力され、デジタルデータに変換された後に制御部１０１に入力され、制御部１０１は上部抵抗膜１１５−１上の押下点を判断することができる。また、制御部１０１は内部タイマーによる監視によりＡ/Ｄ変換部１１６から入力される電圧値の変化を計時することにより、ユーザによる押下時間がわかるようになっている。次に制御部１０１は電圧印加制御部１１７を制御することにより、下部の抵抗膜１１５−２に対して矢印方向に電圧Ｅの印加を行なう。このとき押下点での上部の抵抗膜１１５−１と下部の抵抗膜１１５−２の接触により、この印加された電圧Ｅはｃとｄの長さの比で分割されることになる。このとき同様にこのｃとｄに分圧された電圧が上部抵抗膜１１５−１によりＶｙ方向に出力され、この電圧はＡ/Ｄ変換部１１６に入力され、デジタルデータに変換された後に制御部１０１に入力され、制御部１０１は下部抵抗膜１１５−２上の押下点を判断することができる。ここでも同様に制御部１０１は内部タイマーによる監視によりＡ/Ｄ変換部１１６から入力される電圧値の変化を計時することにより、ユーザによる押下時間がわかるようになっている。以上にようにタッチパネル上にｘ方向、ｙ方向にそれぞれ電圧を印加し、抵抗分割された電圧値を読み取ることによりｘ方向、ｙ方向の位置が判断され、タッチパネル１１５上のどの位置が接触しているか、すなわちユーザがタッチパネル１１５上のどの位置を押下したか、また電圧値の変化時間を計測することによりどれくらいの時間ユーザがタッチパネル１１５を押下しているかを判別するようになっている。
【００３３】
以下、本実施の形態にかかるタッチパネル入力装置１１５の動作について図1のフローチャートを用いて説明する。
【００３４】
まず、ステップＳ１０１で制御部１０１はタッチパネル１１５へのアクセスがあるかどうかを監視する。これはＡ/Ｄ変換部１１６からの入力が通常状態（タッチパネル１１５に何も触れていない状態）からの変化を監視することによって行なう。ここでタッチパネル１１５へのユーザによる押下が行なわれたと判断した場合には、ステップＳ１０２に進み、その押下時間の測定を行なう。ここでは制御部１０１の制御プログラム上のタイマ機能を用い、前述のＡ/Ｄ変換部１１６からの入力値の変化がどの程度の時間継続しているかを判断することにより、押下時間の測定が行なわれる。また同時に図２を用いて説明したように、このＡ/Ｄ変換部１１６からの入力値によりタッチパネル１１５のどの部分が押下されたかが判別できるようになっている。ここで有効は範囲を押下されていると判断された場合にはステップＳ１０３に進み、今回の押下時間が予め設定してある閾値以上か否かを判断する。ここでタッチパネル１１５への押下時間が予め決められた閾値以上であるときには、そのタッチパネル１１５への入力を有効としてステップＳ１０９に進み、押下されたキーアイコンに相当する応答、動作を行なう。このステップＳ１０３で検出時間が予め決められた閾値以下である場合には、ステップＳ１０４とステップＳ１０５で今回のタッチパネル１１５への入力動作を無効として再度入力待ちを行なう。ステップＳ１０４で再度ユーザによるタッチパネル１１５への入力が行なわれた場合には、ステップＳ１０６に進みステップＳ１０３と同様にタッチパネル１１５への入力時間の判定を行なう。ここで今回の入力時間が予め決められている閾値を満足している場合には、前述の場合と同様にステップＳ１０９に進み、押下されたキーアイコンに相当する応答、動作を行なう。ステップS１０６で今回の入力時間が閾値に満たない場合には、ステップS１０７に進み、これも予め決められている入力時間の限度値との比較を行なう。この入力時間の限度値はユーザの意図しないタッチパネル１１５への接触、ノイズ等の影響を除去するために最低限の時間の接触を決めているものである。今回の入力値が閾値を越えてはいないが、この限度値以上である場合には、ステップS１０８に進み、このユーザの操作特性を鑑み、ユーザによりタッチパネル１１５が押下されたと判断して閾値の変更を行なう。この閾値変更後に同様にステップS１０９に進み、押下されたキーに対する応答、動作を行い終了する。
【００３５】
なお、ここではユーザのタッチパネルに対する押下接触時間を検出し、その時間が検出閾値を満足しなかった場合には、その検出閾値を変更して接触時間に比較的短い操作を行うユーザに対しても確実でストレスを与えることのないタッチパネル装置の実現を説明したが、タッチパネル装置にユーザが接触した際の圧力を検出できる機能を備えている場合には、その検出した圧力を閾値を比較し、その圧力値が検出閾値を満足しなかった場合には、同様にその検出閾値を変更して、ユーザによる接触力が比較的小さい操作を行うユーザに対応することが可能であるのは明らかである。
【００３６】
また、上記のように予め設定されている検出閾値を満足できないような操作がされた場合には検出閾値を変更するような制御を行なうが、ある一定時間操作が行なわれなかった場合には、そのユーザによる操作が終了したものと判断して、変更した閾値を元に戻すような制御を行なっても良い。
【００３７】
また、操作時に明らかにそのユーザによる今回の一連の操作が終了したと判断されるような操作が行なわれた場合には、直ちに変更した検出閾値を元に戻す制御を行なっても良い。
【００３８】
次に図４のフローチャートを用いて、ユーザによる閾値の設定が可能な場合の動作について説明する。
【００３９】
まずステップＳ４０１でユーザによる閾値の設定が行なわれたならば、ステップＳ４０２に進み、その閾値の取得を行なう。ここではユーザがタッチパネル上のユーザ設定を行なう画面上にて３段階の閾値設定が可能であるものとする。すなわち、装置のデフォルト状態である中設定、タッチパネル上をより強く押下しなければ押下と認識しない設定である高負荷設定、タッチパネル上への軽い接触で押下を認識する軽負荷設定である。高負荷設定では、ユーザによるタッチパネルの接触が高圧力もしくは長時間行なわれないと押下と認識しない方向の設定であり、押下を検出する時間の閾値は通常状態よりも長めに設定される。また、押下の圧力により、押下されたか否かを判別する場合には、押下を検出する圧力の閾値は通常状態よりも高めに設定される。逆に軽負荷設定では、ユーザによるタッチパネルの接触が低圧力もしくは短時間での接触でも押下と認識する方向の設定であり、押下を検出する時間の閾値は通常状態よりも短めに設定される。また、押下の圧力により、押下されたか否かを判別する場合には、押下を検出する圧力の閾値は通常状態よりも低めに設定される。ステップＳ４０３で、いままでの設定閾値と異なる設定をユーザが行なったならば、ステップＳ４０４に進み。今回設定された閾値を新しい今後の判定用の閾値として設定する。次にステップＳ４０５に進み、今回設定された新しい閾値が軽負荷設定である場合には、短時間、あるいは低い圧力での接触で押下と判定されるために、ステップＳ４０６において、ユーザによる目的外の箇所への意図しない接触でも、タッチパネルを押下されたと判断されることになるため、ユーザに対してその旨をＬＣＤに表示する、あるいは警告音を発するなどして注意喚起を行なう。
【００４０】
なお、図４で説明したユーザによりタッチパネルの閾値の設定が行なわれる場合では、図１において説明したステップＳ１０４からステップＳ１０８でのユーザの押下特性に応じた閾値の変更制御は当然行なわないことになる。ステップＳ１０３において、ユーザが設定をおこなった閾値と、そのときの押下時間の測定結果、あるいは押下圧力の測定結果を比較することになる。
【００４１】
以上説明したように本発明によれば、タッチパネルの押下を認識したとき、ユーザの押下の仕方によってはこの押下時間が短くなる場合があり、このときは本体が押下されたと認識しない場合がある。このような場合にはユーザはタッチパネルの押下を再度やり直すことになるが、その再度の押下の際にも押下時間が一定時間を満たさない場合には、押下と認識する時間の閾値を変更し、このユーザに対しては短い認識時間でも押下を判定することによりユーザに対応した確実な動作が可能となるという効果がある。
【図面の簡単な説明】
【００４２】
【図１】本発明におけるタッチパネル装置の制御フローチャート図。
【図２】本発明におけるタッチパネル装置の動作概念図。
【図３】本発明におけるタッチパネル装置を用いたファクシミリのブロック図。
【図４】本発明におけるタッチパネル装置において、ユーザが設定を行なう際のフローチャート図。
【符号の説明】
【００４３】
１０１  制御部
１１０  ＬＣＤ制御部
１１４  ＬＣＤ
１１５  タッチパネル
１１６  Ａ/Ｄ変換部
１１７  タッチパネル１１５への電圧印加制御部
【図１】
2007109082.tif 000003
【図２】
2007109082.tif 000004
【図３】
2007109082.tif 000005
【図４】
2007109082.tif 000006